(57)【要約】【課題】表示パネルの中央を明るく照射することができ、かつ、狭いベゼルを実現することができる表示装置およびバックライト装置を提供する。【解決手段】実施形態によれば、表示装置は、表示パネルと、第１の光源と、第２の光源と、第３の光源と、導光板とを備える。第１の光源は、前記表示パネルの第１の領域に向けて光を照射する。第２の光源は、前記表示パネルの縁よりも内側に、前記第１の光源と異なる方向を向いて設けられる。第３の光源は、前記表示パネルの縁よりも内側に、前記第１の光源および前記第２の光源と異なる方向を向いて設けられる。導光板は、前記第２の光源および前記第３の光源より照射された光を、前記表示パネル上の領域であって、前記第１の領域よりも前記表示パネルの縁に近い第２の領域に向かって導く。【選択図】図３
2012216327.tif 000002
【特許請求の範囲】
【請求項１】
表示パネルと、
前記表示パネルの第１の領域に向けて光を照射する第１の光源と、
前記表示パネルの縁よりも内側に、前記第１の光源と異なる方向を向いて設けられた第２の光源と、
前記表示パネルの縁よりも内側に、前記第１の光源および前記第２の光源と異なる方向を向いて設けられた第３の光源と、
前記第２の光源および前記第３の光源より照射された光を、前記表示パネル上の領域であって、前記第１の領域よりも前記表示パネルの縁に近い第２の領域に向かって導く導光板と、を有する表示装置。
【請求項２】
前記導光板には、少なくとも中央を含む部分に開口部が設けられ、
前記第１の光源は、前記開口部に対応する位置に設けられ、
前記第２の光源および前記第３の光源は、前記開口部に設けられる請求項１に記載の表示装置。
【請求項３】
前記第２の光源および前記第３の光源より照射される光の進行方向と、前記導光板の前記光が照射される面と、は略直交する請求項１に記載の表示装置。
【請求項４】
前記開口部の断面は、略円形または多角形である請求項３に記載の表示装置。
【請求項５】
前記第２の光源および前記第３の光源は、前記開口部の縁に沿って設けられる請求項２に記載の表示装置。
【請求項６】
前記第１の光源から照射される光を拡散させて、前記表示パネルの第１の領域に到達させる光学部材を有する請求項２に記載の表示装置。
【請求項７】
前記光学部材の少なくとも一部は前記開口部内に設けられ、
前記第１の光源は、前記光学部材と対向して設けられる請求項６に記載の表示装置。
【請求項８】
前記導光板の少なくとも一部には、前記第２の光源および前記第３の光源から照射された光を前記表示パネル方向に出射させるための拡散部材が塗布されている請求項１に記載の表示装置。
【請求項９】
前記拡散部材は、前記第２の光源および前記第３の光源から離れるほど、高密度に塗布されている請求項８に記載の表示装置。
【請求項１０】
映像信号に対して処理を行う映像処理部と、
前記処理された映像信号を前記表示パネルに所定のタイミングで供給するパネルコントローラと、
前記第１乃至第３の光源を制御するバックライトコントローラと、を備え、
前記映像処理部、前記パネルコントローラおよび前記バックライトコントローラの少なくとも一部は、前記第１の光源の側方で前記導光板と対向して設けられる請求項１に記載の表示装置。
【請求項１１】
放送波を受信してチューニングするチューナを有し、
前記表示パネルは、前記チューニングされた放送波を表示する請求項１に記載の表示装置。
【請求項１２】
照射された光を第１の領域の周囲の少なくとも一部である第２の領域に向かって導く導光板と、
前記導光板の縁よりも内側に設けられ、前記第１の領域に向けて光を照射する第１の光源と、
前記導光板の縁よりも内側に、前記第１の光源と異なる方向を向いて設けられ、前記導光板に光を照射する第２の光源と、
前記導光板の縁よりも内側に、前記第１の光源および前記第２の光源と異なる方向を向いて設けられ、前記導光板に光を照射する第３の光源と、を有するバックライト装置。
【請求項１３】
前記導光板には、少なくとも中央を含む部分に開口部が設けられ、
前記第１の光源は、前記開口部に対応する位置に設けられ、
前記第２の光源および前記第３の光源は、前記開口部に設けられる請求項１２に記載のバックライト装置。
【請求項１４】
前記第２の光源および前記第３の光源より照射される光の進行方向と、前記導光板の前記光が照射される面と、は略直交する請求項１２に記載のバックライト装置。
【請求項１５】
前記開口部の断面は、略円形または多角形である請求項１３に記載のバックライト装置。
【請求項１６】
前記第２の光源および前記第３の光源は、前記開口部の縁に沿って設けられる請求項１３に記載のバックライト装置。
【請求項１７】
前記第１の光源から照射される光を拡散させて、前記第１の領域に到達させる光学部材を有する請求項１３に記載のバックライト装置。
【請求項１８】
前記光学部材の少なくとも一部は前記開口部内に設けられ、
前記第１の光源は、前記光学部材と対向して設けられる請求項１７に記載のバックライト装置。
【請求項１９】
前記導光板の少なくとも一部には、前記第２の光源および前記第３の光源から照射された光を前記第２の領域に出射させるための拡散部材が塗布されている請求項１２に記載のバックライト装置。
【請求項２０】
前記第１の光源の側方で前記導光板と対向して設けられ、前記第１乃至第３の光源を制御するバックライトコントローラを備える請求項１２に記載のバックライト装置。
【発明の詳細な説明】
【技術分野】
【０００１】
本発明の実施形態は、表示装置およびバックライト装置に関する。
【背景技術】
【０００２】
近年、液晶表示装置（Liquid Crystal Display：ＬＣＤ）が広く用いられるようになってきている。ＬＣＤは、一対のガラス基板の間に液晶材料を配置して構成される液晶パネルと、液晶パネルの背面から液晶パネルに光を照射するバックライト装置とを備えている。バックライト装置はエッジ型および直下型の２種類に大別される。
【０００３】
エッジ型のバックライト装置は、ＬＥＤ（Light Emitting Diode）等の光源から、液晶パネルの背面に配置された導光板の側面に向けて光を照射し、導光板の液晶パネルと対向する面から光を取り出すものである。この方式によると、バックライト装置を薄くできるが、その反面、液晶パネルの中央を明るく照射できない、あるいは、光源を配置するためにベゼル幅を広くする必要がある、という問題がある。ベゼル幅が広いと、表示領域が小さく見えてしまうことがある。
【０００４】
一方、直下型のバックライト装置は、液晶パネルの直下に光源を配置し、拡散板等を介して液晶パネルに光を照射するものである。この方式によると、エッジ型とは対照的に、液晶パネルの中央を明るく照射でき、ベゼル幅を狭くすることもできるが、輝度ムラをなくすためにはバックライト装置を厚くしたり、光源を多数配置したりしなければならないという問題がある。
【先行技術文献】
【特許文献】
【０００５】
【特許文献１】特開２００７−２９３３３９号公報
【発明の概要】
【発明が解決しようとする課題】
【０００６】
表示パネルの中央を明るく照射することができ、かつ、狭いベゼル幅を実現することができるバックライト装置および表示装置を提供する。
【課題を解決するための手段】
【０００７】
実施形態によれば、表示装置は、表示パネルと、第１の光源と、第２の光源と、第３の光源と、導光板とを備える。第１の光源は、前記表示パネルの第１の領域に向けて光を照射する。第２の光源は、前記表示パネルの縁よりも内側に、前記第１の光源と異なる方向を向いて設けられる。第３の光源は、前記表示パネルの縁よりも内側に、前記第１の光源および前記第２の光源と異なる方向を向いて設けられる。導光板は、前記第２の光源および前記第３の光源より照射された光を、前記表示パネル上の領域であって、前記第１の領域よりも前記表示パネルの縁に近い第２の領域に向かって導く。
【図面の簡単な説明】
【０００８】
【図１】第１の実施形態に係る表示装置１１０を含む画像表示システムの概略ブロック図。
【図２】表示モジュール２００の概略ブロック図。
【図３】第１の実施形態に係る液晶パネル１およびバックライト装置６の平面図。
【図４】図３のＡＡ’断面図。
【図５】バックライト装置６の変形例であるバックライト装置の平面図。
【図６】バックライト装置６の他の変形例であるバックライト装置の断面図。
【図７】第２の実施形態に係るバックライト装置６ａの平面図。
【図８】図７のＢＢ’断面図。
【図９】バックライト装置６ａの変形例であるバックライト装置の断面図。
【図１０】バックライト装置６ａの変形例であるバックライト装置の断面図。
【発明を実施するための形態】
【０００９】
以下、実施形態について、図面を参照しながら具体的に説明する。
【００１０】
（第１の実施形態）
図１は、第１の実施形態に係る表示装置１１０を含む画像表示システムの概略ブロック図である。
【００１１】
表示装置１１０は、各部の動作を制御する制御部１５６と、操作部１１６と、受光部１１８とを備えている。制御部１５６は、ＲＯＭ（Read Only Memory）１５７と、ＲＡＭ（Random Access Memory）１５８と、ＣＰＵ（Central Processing Unit）１５９と、フラッシュメモリ１６０とを有する。
【００１２】
制御部１５６は、操作部１１６から入力される操作信号や、リモートコントローラ１１７から送信され受光部１１８を介して入力される操作信号に応じて、ＲＯＭ１５７に予め記憶されたシステム制御プログラムおよび各種処理プログラムを起動させる。制御部１５６は、ＲＡＭ１５８をＣＰＵ１５９のワークメモリとし、起動したプログラムに従って各部の動作を制御する。また制御部１５６は、各種設定に必要な情報等を例えばＮＡＮＤフラッシュメモリ等のような不揮発性のメモリであるフラッシュメモリ１６０に格納して使用する。
【００１３】
また、表示装置１１０は、入力端子１４４と、チューナ１４５と、ＰＳＫ（Phase Shift Keying）復調器１４６と、ＴＳ（Transport Stream）復号器１４７ａと、信号処理部１２０とを備えている。
【００１４】
入力端子１４４は、ＢＳ／ＣＳデジタル放送受信用のアンテナ１４３が受信した衛星デジタルテレビジョン放送信号を、衛星デジタル放送用のチューナ１４５に送信する。チューナ１４５は、受信したデジタル放送信号のチューニングを行い、チューニングされたデジタル放送信号をＰＳＫ復調器１４６に送信する。ＰＳＫ復調器１４６は、デジタル放送信号からＴＳを復調し、復調されたＴＳをＴＳ復号器１４７ａに送信する。ＴＳ復号器１４７ａは、ＴＳをデジタル映像信号、デジタル音声信号、およびデータ信号を含むデジタル信号に復号した後、信号処理部１２０にこれらを送信する。
【００１５】
ここでのデジタル映像信号とは、表示装置１１０が出力可能な映像に関するデジタル信号であり、デジタル音声信号とは、表示装置１１０が出力可能な音声に関するデジタル信号である。またデータ信号とは、復調されたサービスについての各種情報を示すデジタル信号である。
【００１６】
また、表示装置１１０は、入力端子１４９と、２つのチューナ１５０ａ，１５０ｂを有するチューナ部１５０と、２つのＯＦＤＭ（Orthogonal Frequency Division Multiplexing）復調器１５１と、２つのＴＳ復号器１４７ｂと、アナログチューナ１６８と、アナログ復調器１６９とを備えている。
【００１７】
入力端子１４９は、地上波デジタル放送受信用のアンテナ１４８が受信した地上波デジタルテレビジョン放送信号を、地上波デジタル放送用のチューナ部１５０に送信する。チューナ部１５０のチューナ１５０ａ，１５０ｂは、それぞれ受信したデジタル放送信号のチューニングを行い、チューニングされたデジタル放送信号を、２つ存在するＯＦＤＭ復調器１５１に送信する。ＯＦＤＭ復調器１５１は、デジタル放送からＴＳを復調し、復調されたＴＳをそれぞれ対応するＴＳ復号器１４７ｂに送信する。ＴＳ復号器１４７ｂは、ＴＳをデジタル映像信号および音声信号等に復号した後、信号処理部１２０にこれらを送信する。チューナ部１５０のチューナ１５０ａ，１５０ｂのそれぞれで取得した地上波デジタルテレビジョン放送は、２つずつのＯＦＤＭ復調器１５１、ＴＳ復号器１４７ｂによってそれぞれ同時にデジタル映像信号、デジタル音声信号、およびデータ信号を含むデジタル信号として復号された後に、信号処理部１２０に送信されることが可能である。
【００１８】
アンテナ１４８は、地上波アナログテレビジョン放送信号も受信可能である。受信された地上波アナログテレビジョン放送信号は、図示しない分配器によって分配されて、アナログチューナ１６８に送信される。アナログチューナ１６８は、受信したアナログ放送信号のチューニングを行い、チューニングされたアナログ放送信号をアナログ復調器１６９に送信する。アナログ復調器１６９はアナログ放送信号の復調を行い、復調されたアナログ放送信号を信号処理部１２０に送信する。また、表示装置１１０は、一例として、アンテナ１４８が接続される入力端子１４９にＣＡＴＶ（Common Antenna Television）用のチューナを接続することによってＣＡＴＶも視聴できる。
【００１９】
また、表示装置１１０は、ライン入力端子１３７と、音声処理部１５３と、スピーカ１１５と、グラフィック処理部１５２と、ＯＳＤ（On Screen Display）信号生成部１５４と、映像処理部１５５と、と、表示モジュール２００とを備えている。
【００２０】
信号処理部１２０は、ＴＳ復号器１４７ａ、１４７ｂ、または制御部１５６から送信されたデジタル信号に、適切な信号処理を施す。より具体的には、信号処理部１２０はデジタル信号をデジタル映像信号、デジタル音声信号、およびデータ信号に分離する。分離されたデジタル映像信号はグラフィック処理部１５２に、音声信号は音声処理部１５３に送信される。また信号処理部１２０は、アナログ復調器１６９から送信された放送信号を、所定のデジタルフォーマットの映像信号および音声信号に変換する。デジタルに変換された映像信号はグラフィック処理部１５２に、音声信号は音声処理部１５３に送信される。また信号処理部１２０は、ライン入力端子１３７からの入力信号にも所定のデジタル信号処理を施す。
【００２１】
音声処理部１５３は、入力された音声信号を、スピーカ１１５で再生可能なフォーマットのアナログ音声信号に変換する。アナログ音声信号は、スピーカ１１５に送信されて再生される。
【００２２】
ＯＳＤ信号生成部１５４は、制御部１５６の制御に従って、ＵＩ（ユーザ・インタフェース）画面などを表示するためのＯＳＤ信号を生成する。また信号処理部１２０においてデジタル放送信号から分離されたデータ信号は、ＯＳＤ信号生成部１５４により適切なフォーマットのＯＳＤ信号に変換され、グラフィック処理部１５２に送信される。
【００２３】
グラフィック処理部１５２は、信号処理部１２０から送信されるデジタル映像信号のデコード処理を行う。デコードされた映像信号は、ＯＳＤ信号生成部１５４から送信されたＯＳＤ信号と重ね合わせて合成され、映像処理部１５５に送信される。グラフィック処理部１５２は、デコードされた映像信号またはＯＳＤ信号を、映像処理部１５５に選択的に送信することもできる。
【００２４】
映像処理部１５５は、グラフィック処理部１５２から送信された信号を、表示モジュール２００で表示可能なフォーマットのアナログ映像信号に変換する。アナログ映像信号は、表示モジュール２００に送信されて表示される。表示モジュール２００の詳細は図２を用いて後述する。
【００２５】
さらに、表示装置１１０は、ＬＡＮ（Local Area Network）端子１３１と、ＬＡＮ  Ｉ／Ｆ（Interface）１６４と、ＵＳＢ（Universal Serial Bus）端子１３３と、ＵＳＢ  Ｉ／Ｆ１６５と、ＨＤＤ（Hard Disk Drive）１７０とを備えている。
【００２６】
ＬＡＮ端子１３１はＬＡＮ  Ｉ／Ｆ１６４を介して制御部１５６に接続されている。ＬＡＮ端子１３１はイーサネット（登録商標）を用いた一般的なＬＡＮ対応ポートとして使用される。本実施形態において、ＬＡＮ端子１３１にはＬＡＮケーブルが接続されており、インターネット１３０と通信可能となっている。
【００２７】
ＵＳＢ端子１３３はＵＳＢ Ｉ／Ｆ１６５を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２８】
ＨＤＤ１７０は表示装置１１０に内蔵される磁気記憶媒体であって、表示装置１１０が有する各種情報を記憶する機能を有する。
【００２９】
図２は、表示モジュール２００の概略ブロック図である。表示モジュール２００は、液晶パネル（表示パネル）１と、タイミングコントローラ２と、ゲートドライバ３と、ソースドライバ４と、バックライトコントローラ５と、バックライト装置６とを備えている。
【００３０】
液晶パネル１は、一対のガラス基板を対向配置して、これらガラス基板の間に液晶材料を配置した構造である。液晶パネル１は、複数（例えば１０８０本）の走査線と、複数（例えば１９２０＊３本）の信号線と、走査線および信号線の各交差箇所に形成される液晶画素とを有する。
【００３１】
タイミングコントローラ２は、図１の映像処理部から入力される入力映像信号をソースドライバ４に供給するとともに、ゲートドライバ３、ソースドライバ４およびバックライトコントローラ５の動作タイミングを制御する。
【００３２】
ゲートドライバ３は走査線の１つを順繰りに選択する。ソースドライバ４は入力映像信号を液晶パネル１の信号線に供給する。この入力映像信号はゲートドライバ３に選択された走査線に接続される液晶画素に供給され、入力映像信号の電圧に応じて、液晶画素内の液晶材料の配向が変化する。ゲートドライバ３およびソースドライバ４はパネルコントローラを構成する。
【００３３】
一方、バックライト装置６は液晶パネル１の背面に設けられ、液晶パネル１に光を照射する。照射された光のうち、液晶材料の配向に応じた強度の光が液晶材料を透過して、液晶パネル１上に表示される。
【００３４】
図３は、第１の実施形態に係る液晶パネル１およびバックライト装置６の平面図であり、図４は、図３のＡＡ’断面図である。なお、図３では紙面手前側に、図４では紙面上方にそれぞれ液晶パネル１（２点鎖線で図示）が配置される。また、以下ではバックライト装置６から液晶パネル１に向かう方向を上と呼ぶ。
【００３５】
バックライト装置６は、導光板１１と、光源（第２、第３の光源）１２，光源（第１の光源）１３とを有する。
【００３６】
導光板１１は、例えば厚さ２ｍｍ程度のアクリル製の板である。導光板１１は液晶パネル１とほぼ同サイズの矩形であり、液晶パネル１と対向してその下方に設けられる。導光板１１の少なくとも中央を含む部分に、円柱形の空洞部１１ａが形成される。また、導光板１１の下面の少なくとも一部には、液晶パネル１が配置される上方に光が出射されるよう、シルク印刷等の拡散部材１４が塗布されている。また、光の拡散を抑制して直進性を向上するために、導光板１１の上面側に、光の進行方向に沿ったプリズム形状（不図示）を形成してもよい。
【００３７】
光源１２，１３は、例えばＬＥＤである。光源１２，１３のそれぞれが、赤、緑および青にそれぞれ発光する３種類のＬＥＤを含んでいてもよい。図４に示すように、導光板１１の空洞部１１ａ内に光源１２，１３を設けることで、バックライト装置６を薄型化できる。
【００３８】
光源１２は、空洞部１１ａ内の側面１１ｂに沿って配置される。したがって、光源１２は互いに異なる方向を向いている。そして、複数の光源１２から導光板１１に向かって放射状に広い範囲に光が照射される。図３では８個の光源１２が設けられる例を示しているが、液晶パネル１の大きさや、必要な輝度等を考慮して、適切な数の光源１２を設ければよい。
【００３９】
光源１２から照射された光は導光板１１内を進む。導光板１１の拡散部材１４が塗布されていない場所では光はほぼ全反射し、拡散部材１４が塗布された場所から光は液晶パネル１側に取り出される。ここで、光源１２から離れるほど、導光板１１内を進む光の量が少なくなる。そのため、液晶パネル１に輝度ムラが生じないよう、光源１２の近辺では拡散部材１４を疎に、光源１２から離れるほど拡散部材１４を密に塗布するのが望ましい。
【００４０】
光源１３は空洞部１１ａ内で光源１２よりも内側に配置される。そして、光源１３は導光板１１と垂直方向に液晶パネル１に向かって光を照射する。図３では９個の光源１３が設けられる例を示しているが、液晶パネル１の大きさや、必要な輝度に加え、光源１３と液晶パネル１との距離等を考慮して、適切な数の光源１３を設ければよい。
【００４１】
光源１３から照射された光は導光板１１を介さずに液晶パネル１に照射されるため、液晶パネル１の中央を特に明るく照射できる。また、導光板１１およびその空洞部１１ａの上方に拡散板（不図示）を設けてもよく、これにより、拡散された光が液晶パネル１に到達するため、液晶パネル１に輝度ムラが生じるのを抑制できる。
【００４２】
このように、第１の実施形態では、光源１２，１３を導光板１１の空洞部１１ａ内に配置する。そのため、導光板１１あるいは液晶パネル１の側方に光源を設ける必要がなくなり、ベゼル幅を狭くできる。その結果、表示領域が大きく見えたり、複数の液晶パネル１を並べて表示させたりできる。また、中央に形成された空洞部１１ａ内に光源１３を設け、液晶パネル１の直下から光を照射するため、視聴者が注目しやすい液晶パネル１の中央を特に明るくすることができる。さらに、光源１２から照射された光は広い範囲まで到達するため、必要な光源の数を少なくできる。
【００４３】
なお、空洞部１１ａの断面形状は必ずしも円柱形でなくてもよく、光源１２から照射される光の進行方向と、光が照射される空洞部１１ａの側面１１ｂとが直交すると、効率よく光源１２から液晶パネル１へ光を照射できる。例えば、空洞部１１ａ’は図５に示すような八角柱形やその他の多角形であってもよい。なお、図５および以降の図面では、液晶パネル１の図示を省略する。
【００４４】
また、導光板１１には必ずしも表面から裏面に貫通した空洞部１１ａでなくても、少なくとも開口部が設けられればよく、例えば図６に示すように下向きの凹部１１ａ’’が形成されて、その内部に光源１２，１３を配置してもよい。
【００４５】
（第２の実施形態）
上述した第１の実施形態は、空洞部１１ａ内に光源１２，１３を配置するものであった。これに対し、以下に説明する第２の実施形態は、光源１３を導光板１１の下方に配置するものである。
【００４６】
図７は、第２の実施形態に係るバックライト装置６ａの平面図であり、図８は、図７のＢＢ’断面図である。図７および図８では、図３および図４とそれぞれ共通する構成部分には同一の符号を付しており、以下では相違点を中心に説明する。
【００４７】
バックライト装置６ａはさらに光学部材１５を有する。光学部材１５は、例えば光源１３から照射される光を拡散する、アクリル製あるいはポリエチレンテレフタレート（ＰＥＴ）製の拡散板である。空洞部１１ａ内の光源１２の内側で、光源１３と液晶パネル１との間に、光学部材１５の少なくとも一部が配置される。そして、の光源１３は、空洞部１１ａに対応する位置で、光学部材１５と対向して配置される。空洞部１１ａ内に光学部材１５を配置することで、バックライト装置６ａを薄型化できる。
【００４８】
光源１３から光学部材１５に照射された光は、光学部材１５内で拡散して液晶パネル１に到達する。そのため、液晶パネル１に輝度ムラが生じるのを抑制できる。
【００４９】
なお、光学部材１５として、図７および図８に示した拡散板に代えて、図９に示すような、光源１３のそれぞれに取り付けられるキャップ１５ａを用いてもよい。光源１３からキャップ１５ａに照射された光は、キャップ１５で拡散して液晶パネル１に到達する。
【００５０】
また、図１０に示すように、光源１３の側方かつ導光板１１の下方のスペースに、例えばプリント回路基板２１およびこれに接続された回路２２を配置してもよい。回路２２は、例えば図１の映像処理部１５５、図２のタイミングコントローラ２、ゲートドライバ３、ソースドライバ４およびバックライトコントローラ５のうちの少なくとも一部である。図１０の構成により、バックライト装置をさらに薄型化できる。
【００５１】
このように、第２の実施形態では、空洞部１１ａ内に光学部材１５を配置する。そのため、バックライト装置を薄型化できる。
【００５２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１  液晶パネル
２  タイミングコントローラ
３  ゲートドライバ
４  ソースドライバ
５  バックライトコントローラ
６，６ａ  バックライト装置
１１  導光板
１１ａ，１１ａ’  空洞部
１１ａ’’  凹部
１２，１３  光源
１４  拡散部材
１５  光学部材
１１０  表示装置
【図１】
2012216327.tif 000003
【図２】
2012216327.tif 000004
【図３】
2012216327.tif 000005
【図４】
2012216327.tif 000006
【図５】
2012216327.tif 000007
【図６】
2012216327.tif 000008
【図７】
2012216327.tif 000009
【図８】
2012216327.tif 000010
【図９】
2012216327.tif 000011
【図１０】
2012216327.tif 000012
【手続補正書】
【提出日】平成24年4月27日(2012.4.27)
【手続補正１】
【補正対象書類名】明細書
【補正対象項目名】０００７
【補正方法】変更
【補正の内容】
【０００７】
実施形態によれば、表示装置は、表示パネルと、第１の光源と、第２の光源と、第３の光源と、第４の光源と、導光板とを備える。第１の光源は、前記表示パネルの第１の領域に向けて光を照射する。第２の光源は、前記表示パネルの縁よりも内側に、前記第１の光源と異なる第１の方向を向いて設けられる。第３の光源は、前記表示パネルの縁よりも内側に、前記第１の方向と略垂直な第２の方向を向いて設けられる。第４の光源は、前記表示パネルの縁よりも内側に、前記第１の方向と前記第２の方向との間の第３の方向を向いて設けられる。導光板は、前記第２の光源および前記第３の光源より照射された光を、前記表示パネル上の領域であって、前記第１の領域よりも前記表示パネルの縁に近い第２の領域に向かって導く。導光板には、少なくとも中央を含む部分に開口部が設けられ、第１の光源は、開口部に対応する位置に設けられる。
【手続補正２】
【補正対象書類名】特許請求の範囲
【補正対象項目名】全文
【補正方法】変更
【補正の内容】
【特許請求の範囲】
【請求項１】
表示パネルと、
前記表示パネルの第１の領域に向けて光を照射する第１の光源と、
前記表示パネルの縁よりも内側に、前記第１の光源と異なる第１の方向を向いて設けられた第２の光源と、
前記表示パネルの縁よりも内側に、前記第１の方向と略垂直な第２の方向を向いて設けられた第３の光源と、
前記表示パネルの縁よりも内側に、前記第１の方向と前記第２の方向との間の第３の方向を向いて設けられた第４の光源と、
前記第２乃至第４の光源より照射された光を、前記表示パネル上の領域であって、前記第１の領域よりも前記表示パネルの縁に近い第２の領域に向かって導く導光板と、を有し、
前記導光板には、少なくとも中央を含む部分に開口部が設けられ、
前記第１の光源は、前記開口部に対応する位置に設けられ、
前記第２乃至第４の光源は、前記開口部の縁に沿って設けられる表示装置。
【請求項２】
前記第２乃至第４の光源より照射される光の進行方向と、前記導光板の前記光が照射される面と、は略直交する請求項１に記載の表示装置。
【請求項３】
前記開口部の断面は、略円形または多角形である請求項２に記載の表示装置。
【請求項４】
前記第１の光源から照射される光を拡散させて、前記表示パネルの第１の領域に到達させる光学部材を有する請求項１に記載の表示装置。
【請求項５】
前記光学部材の少なくとも一部は前記開口部内に設けられ、
前記第１の光源は、前記光学部材と対向して設けられる請求項４に記載の表示装置。
【請求項６】
前記導光板の少なくとも一部には、前記第２乃至第４の光源から照射された光を前記表示パネル方向に出射させるための拡散部材が塗布されている請求項１に記載の表示装置。
【請求項７】
前記拡散部材は、前記第２乃至第４の光源から離れるほど、高密度に塗布されている請求項６に記載の表示装置。
【請求項８】
映像信号に対して処理を行う映像処理部と、
前記処理された映像信号を前記表示パネルに所定のタイミングで供給するパネルコントローラと、
前記第１乃至第４の光源を制御するバックライトコントローラと、を備え、
前記映像処理部、前記パネルコントローラおよび前記バックライトコントローラの少なくとも一部は、前記第１の光源の側方で前記導光板と対向して設けられる請求項１に記載の表示装置。
【請求項９】
放送波を受信してチューニングするチューナを有し、
前記表示パネルは、前記チューニングされた放送波を表示する請求項１に記載の表示装置。
【請求項１０】
照射された光を第１の領域の周囲の少なくとも一部である第２の領域に向かって導く導光板と、
前記導光板の縁よりも内側に設けられ、前記第１の領域に向けて光を照射する第１の光源と、
前記導光板の縁よりも内側に、前記第１の光源と異なる第１の方向を向いて設けられ、前記導光板に光を照射する第２の光源と、
前記導光板の縁よりも内側に、前記第１の方向と略垂直な第２の方向を向いて設けられ、前記導光板に光を照射する第３の光源と、
前記導光板の縁よりも内側に、前記第１の方向と前記第２の方向との間の第３の方向を向いて設けられ、前記導光板に光を照射する第４の光源と、を有し、
前記導光板には、少なくとも中央を含む部分に開口部が設けられ、
前記第１の光源は、前記開口部に対応する位置に設けられ、
前記第２乃至第４の光源は、前記開口部の縁に沿って設けられるバックライト装置。
【請求項１１】
前記第２の光源および前記第３の光源より照射される光の進行方向と、前記導光板の前記光が照射される面と、は略直交する請求項１０に記載のバックライト装置。
【請求項１２】
前記開口部の断面は、略円形または多角形である請求項１１に記載のバックライト装置。
【請求項１３】
前記第１の光源から照射される光を拡散させて、前記第１の領域に到達させる光学部材を有する請求項１０に記載のバックライト装置。
【請求項１４】
前記光学部材の少なくとも一部は前記開口部内に設けられ、
前記第１の光源は、前記光学部材と対向して設けられる請求項１３に記載のバックライト装置。
【請求項１５】
前記導光板の少なくとも一部には、前記第２の光源および前記第３の光源から照射された光を前記第２の領域に出射させるための拡散部材が塗布されている請求項１０に記載のバックライト装置。
【請求項１６】
前記第１の光源の側方で前記導光板と対向して設けられ、前記第１乃至第４の光源を制御するバックライトコントローラを備える請求項１０に記載のバックライト装置。